【手続補正書】
【提出日】平成15年11月5日(2003.11.5)
【手続補正１】
【補正対象書類名】明細書
【補正対象項目名】特許請求の範囲
【補正方法】変更
【補正の内容】
【特許請求の範囲】
【請求項１】
（ｉ）α、β−不飽和カルボン酸の中から選ばれる少なくとも１種の第１単量体と、アルキル（メタ）アクリレート、ヒドロキシアルキル（メタ）アクリレート、（メタ）アクリルアミドとその窒素上の水素をアルキル基またはアルコキシ基に置換した化合物、スチレン及びスチレン誘導体、及び（メタ）アクリル酸グリシジルの中から選ばれる少なくとも１種の第２単量体、（メタ）アクリロニトリルから選ばれる少なくとも１種の第３単量体をビニル共重合して得られる重量平均分子量が２万から３０万のビニル共重合体と、
（ｉｉ）末端にエチレン性不飽和結合を有するウレタンポリマーもしくはオリゴマーと、
（ｉｉｉ）エチレン性不飽和付加重合性モノマーと、
（ｉｖ）光重合開始剤として２−（ｏ−クロロフェニル）−４，５−ジフェニルイミダゾリル二量体を含有することを特徴とするサンドブラスト用感光性樹脂。
【請求項２】
請求項１記載のサンドブラスト用感光性樹脂に、さらにロイコ染料を配合することを特徴とするサンドブラスト用感光性樹脂。
【請求項３】
（ｖ）α、β−不飽和カルボン酸の中から選ばれる少なくとも１種の第４単量体と、アルキル（メタ）アクリレート、ヒドロキシアルキル（メタ）アクリレート、（メタ）アクリルアミドとその窒素上の水素をアルキル基またはアルコキシ基に置換した化合物、スチレン及びスチレン誘導体、及び（メタ）アクリル酸グリシジルの中から選ばれる少なくとも１種の第５単量体をビニル共重合して得られる重量平均分子量２万〜３０万のビニル共重合体と、必要により末端にエチレン性不飽和結合を有するウレタンポリマーもしくはオリゴマーと、
（ｖｉ）エチレン性不飽和付加重合性モノマーと、
（ｖｉｉ）光重合開始剤として２−（ｏ−クロロフェニル）−４，５−ジフェニルイミダゾリル二量体を含有することを特徴とするサンドブラスト用感光性樹脂。
【請求項４】
請求項３記載のサンドブラスト用感光性樹脂に、さらにロイコ染料を配合することを特徴とするサンドブラスト用感光性樹脂。
【請求項５】
支持体（Ａ）、請求項１又は２記載のサンドブラスト用感光性樹脂よりなる第１のサンドブラスト用感光性樹脂層（Ｂ）、請求項３又は４記載のサンドブラスト用感光性樹脂よりなる第２のサンドブラスト用感光性樹脂層（Ｃ）を順次積層してなることを特徴とするサンドブラスト用感光性樹脂積層体。
【手続補正２】
【補正対象書類名】明細書
【補正対象項目名】００１０
【補正方法】変更
【補正の内容】
【００１０】
すなわち、本発明は、支持体に以下に示す感光性樹脂を順次積層してなるサンドブラスト用感光性樹脂積層体を提供するものであり、
【手続補正３】
【補正対象書類名】明細書
【補正対象項目名】００１１
【補正方法】変更
【補正の内容】
【００１１】
又、感光性樹脂として、
（ｉ）α、β−不飽和カルボン酸の中から選ばれる少なくとも１種の第１単量体と、アルキル（メタ）アクリレート、ヒドロキシアルキル（メタ）アクリレート、（メタ）アクリルアミドとその窒素上の水素をアルキル基またはアルコキシ基に置換した化合物、スチレン及びスチレン誘導体、及び（メタ）アクリル酸グリシジルの中から選ばれる少なくとも１種の第２単量体、（メタ）アクリロニトリルから選ばれる少なくとも１種の第３単量体をビニル共重合して得られる重量平均分子量が２万から３０万のビニル共重合体と、
（ｉｉ）末端にエチレン性不飽和結合を有するウレタンポリマーもしくはオリゴマーと、
（ｉｉｉ）エチレン性不飽和付加重合性モノマーと、
（ｉｖ）光重合開始剤として２−（ｏ−クロロフェニル）−４，５−ジフェニルイミダゾリル二量体、及び必要によりロイコ染料を含有することを特徴とするサンドブラスト用感光性樹脂、
【手続補正４】
【補正対象書類名】明細書
【補正対象項目名】００１２
【補正方法】変更
【補正の内容】
【００１２】
並びに、
（ｖ）α、β−不飽和カルボン酸の中から選ばれる少なくとも１種の第４単量体と、アルキル（メタ）アクリレート、ヒドロキシアルキル（メタ）アクリレート、（メタ）アクリルアミドとその窒素上の水素をアルキル基またはアルコキシ基に置換した化合物、スチレン及びスチレン誘導体、及び（メタ）アクリル酸グリシジルの中から選ばれる少なくとも１種の第５単量体をビニル共重合して得られる重量平均分子量２万〜３０万のビニル共重合体と、必要により末端にエチレン性不飽和結合を有するウレタンポリマーもしくはオリゴマーと、
（ｖｉ）エチレン性不飽和付加重合性モノマーと、
（ｖｉｉ）光重合開始剤として２−（ｏ−クロロフェニル）−４，５−ジフェニルイミダゾリル二量体、及び必要によりロイコ染料を含有することを特徴とするサンドブラスト用感光性樹脂を提供するものである。


【手続補正５】
【補正対象書類名】明細書
【補正対象項目名】００５５
【補正方法】変更
【補正の内容】
【００５５】
【実施例】
実施例１〜８
（感光性樹脂組成物積層体の作成）
表１〜表３に示す組成の感光性樹脂組成物を混合し、第１の感光性樹脂組成物の溶液を厚さ２０μｍのポリエチレンテレフタレートフィルムにバーコーターを用いて均一に塗布し、９０℃の乾燥機中で３分間乾燥して３０μｍ厚みの第１の感光性樹脂層を形成した。次に、第２の感光性樹脂組成物の溶液を第１の感光性樹脂層の上にバーコーターを用いて均一に塗布し、９０℃の乾燥機中で３分間乾燥して第２の感光性樹脂層を形成した。第１及び第２の感光性樹脂層を合わせた厚みは４０μｍであった。第２の感光性樹脂層の表面上に３０μｍ厚みのポリエチレンフィルムを張り合わせて感光性樹脂組成物積層体を得た。


【手続補正６】
【補正対象書類名】明細書
【補正対象項目名】００５９
【補正方法】変更
【補正の内容】
【００５９】
実施例９〜１２
表３に示す組成の感光性樹脂組成物を混合し、厚さ２０μｍのポリエチレンテレフタレートフィルムにバーコーターを用いて均一に塗布し、９０℃の乾燥機中で３分間乾燥して４０μｍ厚みの感光性樹脂層を形成した。感光性樹脂層の表面上に３０μｍ厚みのポリエチレンフィルムを張り合わせて感光性樹脂組成物積層体を得た。
次に、実施例と同様の被加工基材を用い、実施例と同様のラミネート、露光、現像の各工程を行った。


【手続補正７】
【補正対象書類名】明細書
【補正対象項目名】００６０
【補正方法】変更
【補正の内容】
【００６０】
実施例の組成と結果を表１〜表３に示す。
なお、表１〜表３に示す組成の略号は、以下に示すものである。
Ｐ−１：メタクリル酸／メタクリル酸メチル／アクリロニトリル（重量比が２３／５２／２５）の組成を有し重量平均分子量が１３万である共重合体の３５％メチルエチルケトン溶液。
Ｐ−２：メタクリル酸／メタクリル酸メチル／スチレン（重量比が２０／５０／３０）の組成を有し重量平均分子量が７万である共重合体の３５％メチルエチルケトン溶液。
Ｐ−３：メタクリル酸／メタクリル酸メチル／アクリル酸ｎ−ブチル（重量比が２５／６５／１０）の組成を有し重量平均分子量が１２万である共重合体の２９％メチルエチルケトン溶液。
Ｐ−４：メタクリル酸／メタクリル酸メチル／アクリル酸ｎ−ブチル（重量比が２０／４０／４０）の組成を有し重量平均分子量が１０万である共重合体の２９％メチルエチルケトン溶液。


【手続補正８】
【補正対象書類名】明細書
【補正対象項目名】００６３
【補正方法】変更
【補正の内容】
【００６３】
【表１】
1998138142.tif 000001
【手続補正９】
【補正対象書類名】明細書
【補正対象項目名】００６４
【補正方法】変更
【補正の内容】
【００６４】
【表２】
1998138142.tif 000002
【手続補正１０】
【補正対象書類名】明細書
【補正対象項目名】００６５
【補正方法】変更
【補正の内容】
【００６５】
【表３】
1998138142.tif 000003